(57)【要約】【課題】空間内の位置に応じたサービスを提供することができるようにする。【解決手段】  通信装置３１−１が有する指向性アンテナ４１−１の通信可能領域４１Aと、通信装置３１−２が有する指向性アンテナ４１−２の通信可能領域４１Bとが重なる通信可能領域４１ABにおいて、携帯端末３２は、通信装置３１−１および３１−２より受信されたデータを用いて認証情報を得る。その後、携帯端末３２が、通信装置３１−３が有する指向性アンテナ４１−３の通信可能領域４１Cにおいて、認証情報を送信することで、通信装置３１−３により認証され、ドア１５１の鍵が開錠されて、携帯端末３２のユーザは、ドア１５１内への進入を許可される。本発明は、所定の空間内における通信できる対象数や通信品質が異なる領域を利用してサービスを提供するサービス提供システムに適用できる。【選択図】図８
2006345082.tif 000002
【特許請求の範囲】
【請求項１】
サービスの提供を行う情報提供装置と、無線通信により前記情報提供装置からサービスの提供を受ける携帯端末からなる情報処理システムにおいて、
前記情報提供装置は、
指向性を有し、所定の空間内に、それぞれの通信可能範囲が重なる少なくとも１つの特定領域を形成させて配置される複数の指向性アンテナと、
前記指向性アンテナを用いて、前記特定領域に存在する携帯端末に、所定のデータをそれぞれ送信する複数のデータ送信手段とを備え、
前記携帯端末は、
前記特定領域において、前記データ送信手段により前記特定領域を通信可能範囲とする指向性アンテナを介して送信されてくる所定のデータを受信するデータ受信手段と、
前記データ受信手段により受信された所定のデータを用いた処理を行うデータ処理手段とを備える
ことを特徴とする情報処理システム。
【請求項２】
前記所定のデータは、前記情報提供装置による認証時に必要な認証情報を得るためのデータであり、
前記データ処理手段は、前記データ受信手段により受信された複数の所定のデータを用いて、前記認証情報を得る処理を行い、
前記携帯端末は、前記データ処理手段により得られた認証情報を、前記情報提供装置に送信する認証情報送信手段をさらに備える
ことを特徴とする請求項１に記載の情報処理システム。
【請求項３】
前記情報提供装置は、
前記認証情報送信手段により送信された認証情報を、前記指向性アンテナを介して受信する認証情報受信手段と、
前記認証情報受信手段により受信された認証情報に基づいて、前記携帯端末を認証する認証手段とをさらに備える
ことを特徴とする請求項２に記載の情報処理システム。
【請求項４】
前記所定のデータは、コンテンツを構成するデータであり、
前記データ処理手段は、前記データ受信手段により受信されたコンテンツに応じて、前記コンテンツのデータからなる出力信号を生成する処理を行い、
前記携帯端末は、前記データ処理手段により生成された出力信号を、ユーザに対して出力する制御を行う出力制御手段をさらに備える
ことを特徴とする請求項１に記載の情報処理システム。
【請求項５】
サービスの提供を行う情報提供装置と、無線通信により前記情報提供装置からサービスの提供を受ける携帯端末からなる情報処理システムの情報処理方法において、
前記情報提供装置により実行される、
指向性を有し、所定の空間内に、それぞれの通信可能範囲が重なる特定領域を形成させて配置される複数の指向性アンテナを用いて、前記特定領域に存在する携帯端末に、所定のデータをそれぞれ送信するデータ送信ステップを含み、
前記携帯端末により実行される、
前記特定領域において、前記データ送信ステップにより前記特定領域を通信可能範囲とする指向性アンテナを介して送信されてくる所定のデータを受信するデータ受信ステップと、
前記データ受信ステップの処理により受信された所定のデータを用いた処理を行うデータ処理ステップとを含む
ことを特徴とする情報処理方法。
【発明の詳細な説明】
【技術分野】
【０００１】
本発明は、情報処理システムおよび方法に関し、特に、空間内に設置された複数の指向性アンテナを用いて通信可能な領域を形成し、それを利用することにより、空間内のユーザの位置に応じて異なるレベルのサービスを提供することができるようにした情報処理システムおよび方法に関する。
【背景技術】
【０００２】
ケーブルを用いない無線通信においては、無線通信技術の特性や通信装置の設定、形状によって強い指向性を持つもの、弱い指向性を持つもの、指向Ｆ性を全く持たないものなど性質が大きく異なる。
【０００３】
例えば、指向性が強い通信技術としては、赤外線通信のような光を基礎とする通信技術、指向性アンテナやミリ波など指向性の強い性質を持つ技術を利用した無線電波による通信などがあげられる。
【０００４】
指向性が強い通信技術を用いる場合、通信可能な領域は、図１に示されるように、一定の方向に拡散していく。
【０００５】
図１の例において、通信装置１は、指向性が強い通信技術を用いて構成されており、その指向性により、一定の方向にのみ拡散された通信可能領域１Ａを有している。したがって、通信装置１の通信可能領域１Ａに存在する携帯端末２−１は、通信装置１と通信を行うことができるが、通信装置１の通信可能領域１Ａの領域外に存在する携帯端末２−２は、通信装置１と通信を行うことができない。
【０００６】
また、指向性通信技術のほとんどは、距離に強い依存性を持つため、通信装置との距離が離れるに従い通信の品質は低下していく。
【０００７】
したがって、１つの空間に、複数の指向性通信を行う装置が存在する場合、空間内に複数の通信装置と通信可能な領域や、どの通信装置とも通信できない領域など、空間の位置によって通信できる対象数や通信品質の異なる領域が形成される。
【０００８】
なお、特許文献１には、１つの空間に２つの指向性アンテナを有する装置を配置させて、２つの指向性アンテナの通信可能領域内にいる通信端末を特定することで、その特定された通信端末のみにサービスを提供することが提案されている。
【０００９】
【特許文献１】特開２００２−１６９６８号公報
【発明の開示】
【発明が解決しようとする課題】
【００１０】
上述したように、１つの空間に複数の指向性通信を行う装置を配置させて、空間内に通信できる対象数や通信品質の異なる特定領域が形成されるが、この特定領域を利用して、サービスを提供するものは殆どなく、あったとしても、特許文献１に記載されているように、特定の無線通信技術を用いるものであった。
【００１１】
すなわち、近年、無線通信技術も数多く存在していることから、用いる無線通信技術を特定することなく、１つの空間に複数の指向性通信を行う装置を配置させて形成される特定領域を利用して、さまざまなサービスを提供するものが要請されている。
【００１２】
本発明は、このような状況に鑑みてなされたものであり、特定の技術を用いることなく、簡単に、空間内の位置に応じて異なるレベルのサービスを提供することができるようにするものである。
【課題を解決するための手段】
【００１３】
本発明の情報処理システムは、情報提供装置は、指向性を有し、所定の空間内に、それぞれの通信可能範囲が重なる少なくとも１つの特定領域を形成させて配置される複数の指向性アンテナと、指向性アンテナを用いて、特定領域に存在する携帯端末に、所定のデータをそれぞれ送信する複数のデータ送信手段とを備え、携帯端末は、特定領域において、データ送信手段により特定領域を通信可能範囲とする指向性アンテナを介して送信されてくる所定のデータを受信するデータ受信手段と、データ受信手段により受信された所定のデータを用いた処理を行うデータ処理手段とを備えることを特徴とする情報処理システム。
【００１４】
所定のデータは、情報提供装置による認証時に必要な認証情報を得るためのデータであり、データ処理手段は、データ受信手段により受信された複数の所定のデータを用いて、認証情報を得る処理を行い、携帯端末は、データ処理手段により得られた認証情報を、情報提供装置に送信する認証情報送信手段をさらに備えるようにすることができる。
【００１５】
情報提供装置は、認証情報送信手段により送信された認証情報を、指向性アンテナを介して受信する認証情報受信手段と、認証情報受信手段により受信された認証情報に基づいて、携帯端末を認証する認証手段とをさらに備えるようにすることができる。
【００１６】
所定のデータは、コンテンツを構成するデータであり、データ処理手段は、データ受信手段により受信されたコンテンツに応じて、コンテンツのデータからなる出力信号を生成する処理を行い、携帯端末は、データ処理手段により生成された出力信号を、ユーザに対して出力する制御を行う出力制御手段をさらに備えるようにすることができる。
【００１７】
本発明の情報処理方法は、情報提供装置により実行される、指向性を有し、所定の空間内に、それぞれの通信可能範囲が重なる少なくとも１つの特定領域を形成させて配置される複数の指向性アンテナを用いて、特定領域に存在する携帯端末に、所定のデータをそれぞれ送信するデータ送信ステップを含み、携帯端末により実行される、特定領域において、データ送信ステップにより特定領域を通信可能範囲とする指向性アンテナを介して送信されてくる所定のデータを受信するデータ受信ステップと、データ受信ステップの処理により受信された所定のデータを用いた処理を行うデータ処理ステップとを含むことを特徴とする。
【００１８】
本発明においては、情報提供装置により、指向性を有し、所定の空間内に、それぞれの通信可能範囲が重なる少なくとも１つの特定領域を形成させて配置される複数の指向性アンテナを用いて、特定領域に存在する携帯端末に、所定のデータがそれぞれ送信される。そして、携帯端末により、特定領域において、特定領域を通信可能範囲とする指向性アンテナを介して送信されてくる所定のデータが受信され、受信された所定のデータを用いた処理が行われる。
【発明の効果】
【００１９】
本発明によれば、空間内の位置に応じて様々なサービスを提供することができる。
【発明を実施するための最良の形態】
【００２０】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。したがって、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２１】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２２】
請求項１に記載の情報処理システム（例えば、図４のサービス提供システム２１）は、情報提供装置（例えば、図４のネットワーク３３に接続される通信装置３１−１乃至３１−３からなるサービス提供装置）は、指向性を有し、所定の空間内に、それぞれの通信可能範囲が重なる少なくとも１つの特定領域を形成させて配置される複数の指向性アンテナ（例えば、図４の指向性アンテナ４１−１および４１−２）と、指向性アンテナを用いて、特定領域に存在する携帯端末に、所定のデータをそれぞれ送信する複数のデータ送信手段（例えば、図４の通信装置３１−１および３１−２の図５の無線通信部５８）とを備え、携帯端末（例えば、図４の携帯端末３２）は、特定領域において、データ送信手段により特定領域を通信可能範囲とする指向性アンテナを介して送信されてくる所定のデータを受信するデータ受信手段（例えば、図６の無線通信部１０８）と、データ受信手段により受信された所定のデータを用いた処理を行うデータ処理手段（例えば、図７のデータ処理部１３２）とを備えることを特徴とする。
【００２３】
請求項２に記載の情報処理システムは、所定のデータは、情報提供装置による認証時に必要な認証情報を得るためのデータであり、データ処理手段は、データ受信手段により受信された複数の所定のデータを用いて、認証情報を得る処理を行い、携帯端末は、データ処理手段により得られた認証情報を、情報提供装置に送信する認証情報送信手段（例えば、図７の認証データ送信部１３３）をさらに備えることを特徴とする。
【００２４】
請求項３に記載の情報処理システムは、情報提供装置は、認証情報送信手段により送信された認証情報を、指向性アンテナを介して受信する認証情報受信手段（例えば、図４の通信装置３１−３の図５の無線通信部５８）と、認証情報受信手段により受信された認証情報に基づいて、携帯端末を認証する認証手段（例えば、図４の通信装置３１−３の図５のＣＰＵ５１）とをさらに備えることを特徴とする。
【００２５】
請求項４に記載の情報処理システム（例えば、図１１のサービス提供システム２０１）は、所定のデータは、コンテンツを構成するデータであり、データ処理手段（例えば、図１２のデータ生成部２３２）は、データ受信手段により受信されたコンテンツに応じて、コンテンツのデータからなる出力信号を生成する処理を行い、携帯端末は、データ処理手段により生成された出力信号を、ユーザに対して出力する制御を行う出力制御手段（例えば、図１２のデータ出力制御部２３３）をさらに備えることを特徴とする。
【００２６】
請求項５に記載の情報処理方法は、情報提供装置により実行される、指向性を有し、所定の空間内に、それぞれの通信可能範囲が重なる少なくとも１つの特定領域を形成させて配置される複数の指向性アンテナを用いて、特定領域に存在する携帯端末に、所定のデータをそれぞれ送信するデータ送信ステップ（例えば、図９のステップＳ２２）を含み、携帯端末により実行される、特定領域において、データ送信ステップにより特定領域を通信可能範囲とする指向性アンテナを介して送信されてくる所定のデータを受信するデータ受信ステップ（例えば、図９のステップＳ１２）と、データ受信ステップの処理により受信された所定のデータを用いた処理を行うデータ処理ステップ（例えば、図９のステップＳ１３）とを含むことを特徴とする。
【００２７】
以下、図を参照して本発明の実施の形態について説明する。
【００２８】
まず、図２および図３を参照して、本発明の一実施形態に係るサービス提供システムにおいて用いられる通信領域の概念を説明する。
【００２９】
図２の例においては、通信装置１１−１および１１−２は、それぞれ、比較的強い指向性（例えば、半値角３０度以内程度）を有する無線通信技術を用いて構成され、所定の空間内に設置されている。
【００３０】
強い指向性を有する無線通信技術としては、例えば、赤外線通信のような光を基礎とした通信、指向性アンテナやミリ波など指向性の強い性質を有する技術を用いての無線電波による通信などがあげられる。
【００３１】
通信装置１１−１は、その指向性により図中上の方向に対して通信可能領域１１Aを有しており、通信可能領域１１Aに存在する装置に対してデータを送受信することができる。通信装置１１−２は、その指向性により図中左の方向に対して通信可能領域１１Bを有しており、通信可能領域１１Bに存在する装置に対してデータを送受信することができる。
【００３２】
そして、これらの通信装置１１−１および１１−２が、所定の空間内において、図２の位置関係で設置されることにより、通信可能領域１１Aと通信可能領域１１Bが重なる通信可能領域１１ABが形成される。
【００３３】
すなわち、図２の例の空間は、通信装置１１−１がデータを送受信可能な通信可能領域１１A、通信装置１１−２がデータを送受信可能な通信可能領域１１B、通信装置１１−１および１１−２がともにデータを送受信可能な通信可能領域１１AB、並びに通信装置１１−１および１１−２の両方が通信できない領域で構成されている。
【００３４】
図３の例においては、通信装置１２−１乃至１２−３は、通信装置１１−１および１１−２と同様に、それぞれ、比較的強い指向性を有する無線通信技術を用いて構成され、所定の空間内に設置されている。
【００３５】
通信装置１２−１は、その指向性により図中上の方向に対して通信可能領域１２Aを有しており、通信可能領域１２Aに存在する装置に対してデータを送受信することができる。通信装置１２−２は、その指向性により図中上の方向に対して通信可能領域１２Bを有しており、通信可能領域１２Bに存在する装置に対してデータを送受信することができる。また、通信装置１２−３は、その指向性により図中上の方向に対して通信可能領域１２Cを有しており、通信可能領域１２Cに存在する装置に対してデータを送受信することができる。
【００３６】
そして、これらの通信装置１２−１乃至１２−３が、所定の空間内において、図３の位置関係で設置されることにより、通信可能領域１２Aと通信可能領域１２Bが重なる通信可能領域１２AB、通信可能領域１２Bと通信可能領域１２Cが重なる通信可能領域１２BC、並びに、通信可能領域１２A、通信可能領域１２B、および通信可能領域１２Cが重なる通信可能領域１２ABCが形成される。
【００３７】
すなわち、図３の例の空間は、通信装置１２−１がデータを送受信可能な通信可能領域１２A、通信装置１２−２がデータを送受信可能な通信可能領域１２B、通信装置１２−３がデータを送受信可能な通信可能領域１２C、通信装置１２−１および１２−２がともにデータを送受信可能な通信可能領域１２AB、通信装置１２−２および１２−３がともにデータを送受信可能な通信可能領域１２BC、通信装置１２−１乃至１２−３がデータを送受信可能な通信可能領域１２ABC、並びに通信装置１２−１乃至１２−３のすべてが通信できない領域で構成されている。
【００３８】
なお、図２および図３の例においては、通信装置が２台または３台の例を説明したが、通信装置の台数は、これらに限定されず、４台以上で構成されてもよい。
【００３９】
以上のように、１つの空間内に、指向性を有する無線通信技術を用いて通信を行う装置が複数存在する場合、装置の位置次第で、その空間内には、複数の装置と通信可能な領域や、どの装置とも通信できない領域など、空間内の位置によって通信できる対象数や通信品質が異なる領域が形成される。
【００４０】
したがって、このように形成された領域を利用することで、空間内のユーザ（が有する携帯端末）に対して、それぞれが存在する領域の性質に応じて、異なるレベルのサービスを行うことができる。
【００４１】
すなわち、本発明に係るサービス提供システムは、このように比較的強い指向性を有する通信技術を複数用いて、所定の空間内に、指向性のスポットライト(Spotlight)が当たったような特別な領域（すなわち、通信できる対象数や通信品質が異なる領域）を形成し、形成した領域を利用することにより、このような空間内のユーザ（が有する携帯端末）に対して、それぞれが存在する領域の性質に応じて、異なるレベルのサービスを行うようにしたものである。
【００４２】
なお、このようにしてサービスを提供する方法を、スポットライトネットワーキング(Spotlight Networking)と定義し、以下、スポットライトワーキングを用いたサービス提供システムについて具体的に説明する。
【００４３】
図４は、本発明を適用したサービス提供システム２１の構成例を示している。
【００４４】
このサービス提供システム２１においては、通信装置３１−１乃至３１−３は、それぞれ、指向性を有する指向性アンテナ４１−１乃至４１−３を備えており、指向性アンテナ４１−１乃至４１−３を用いて、指向性アンテナ４１−１乃至４１−３の通信可能領域４１A乃至４１Cに存在する携帯端末３２と、例えば、IEEE（The Institute of Electrical and Electronics Engineers）802.11b方式で、それぞれ無線通信を行う。
【００４５】
また、通信装置３１−１乃至３１−３は、指向性アンテナ４１−１乃至４１−３を用いての無線通信以外の通信によりネットワーク３３に接続されており、所定のデータを相互に受け渡しすることができるように構成されている。
【００４６】
このネットワーク３３は、有線のネットワークであってもよいし、無線のネットワークであってもよく、通信装置３１−１乃至３１−３間の通信は、暗号化などによりセキュアに接続されている。
【００４７】
通信装置３１−１および３１−２は、指向性アンテナ４１−１の通信可能領域４１Aと指向性アンテナ４１−２の通信可能領域４１Bが重なる通信可能領域４１ABが形成されるように、所定の空間内に配置されており、指向性アンテナ４１−１および４１−２を用いて、サービス提供システム２１のサービスを受けるユーザの携帯端末３２が必要な認証情報となるデータをそれぞれ送信する。
【００４８】
すなわち、これらのデータ（通信装置３１−１からのデータと、通信装置３１−２からのデータ）は、所定の時間内に受信され、２つ揃って初めて認証情報として機能するように構成されている。
【００４９】
具体的には、例えば、通信装置３１−１は、認証情報を暗号化し、暗号化された認証データを送信し、通信装置３１−２は、通信装置３１−１による暗号を解除するための暗号鍵データを送信する。この暗号鍵データは、通信装置３１−１または３１−２において、共有されており、所定の時間おきに更新され、ネットワーク３３を介して、他方の装置に送信されている。したがって、両方のデータが所定の時間内に受信された場合のみ、暗号化されている認証情報の暗号を解除することが可能となる。
【００５０】
また、例えば、通信装置３１−１は、認証情報を複数ブロックに分割し、その一部を送信し、通信装置３１−２は、通信装置３１−１が送信する以外のブロックを送信する。この認証情報の分割は、通信装置３１−１または３１−２において、所定の時間おきに実行され、ネットワーク３３を介して、他の通信装置に送信されている。したがって、両方のデータが所定の時間内に受信された場合のみ、認証情報を構成するすべてのブロックを受信することが可能となる。
【００５１】
したがって、携帯端末３２は、通信可能領域４１AB内において、所定の時間内に通信装置３１−１および３１−２からの両方のデータを受信しないと、認証情報を得ることができない。
【００５２】
なお、所定の時間は、通信可能領域４１ABにおける双方のデータ受信可能な時間を最短として、最短な時間を設定してもよいし、その最短時間よりも長めに設定するようにしてもよい。
【００５３】
一方、通信装置３１−３は、通信装置３１−１および３１−２が配置される所定の空間とは他の空間に設置されており、指向性アンテナ４１−３を用いて、サービス提供システム２１のサービスを受けるユーザの携帯端末３２に対して認証処理を行い、認証処理により認証された携帯端末３２に対して、サービス提供システム２１のサービスの提供を開始する。なお、通信装置３１−１および３１−２と、通信装置３１−３が配置される所定の空間は、離れていなくてもよく、同じ空間内であってもよい。
【００５４】
サービス提供システム２１のサービスとしては、例えば、音楽または映像データの送信や、所定の扉の開放などがあげられる。
【００５５】
なお、認証情報も、通信装置３１−１乃至３１−３のいずれかにおいて設定された有効期限おきに更新され、ネットワーク３３を介して、他の通信装置に送信されている。したがって、認証情報が取得されてから有効期限（例えば、１０乃至３０秒など）内に、通信装置３１−３により認証されなければ、その認証情報は無効となる。
【００５６】
携帯端末３２は、例えば、携帯電話機、ポータブルデバイス（ＰＤ）、ＰＤＡ(Personal Digital Assistant)、または、小型パーソナルコンピュータなどで構成される。
【００５７】
携帯端末３２は、通信アンテナ４２を備えており、ユーザにより携帯され、空間内の所定の領域に挿入されることで、所定の領域を通信可能領域とした通信装置３１−１乃至３１−３と、IEEE802.11b方式で無線通信を行う。通信アンテナ４２の指向性の強さは限定されないが、通信アンテナ４２の通信可能範囲は、各指向性アンテナ４１−１乃至４１−３の通信可能領域において相互にデータが送受信可能な範囲とされる。
【００５８】
ユーザにより通信可能領域４１AB内に挿入された携帯端末３２は、通信可能領域４１ABを通信可能領域とする通信装置３１−１および通信装置３１−２とデータの送受信を行い、得られたデータを、復号または合成などのデータ処理を行うことで、認証情報を取得する。
【００５９】
また、ユーザにより通信可能領域４１C内に挿入された携帯端末３２は、通信可能領域４１Cを通信可能領域とする通信装置３１−３に認証情報を送信し、通信装置３１−３による認証を得る。これにより、携帯端末３２またはそれを所持したユーザは、サービス提供システム２１のサービスの提供を受けることができる。
【００６０】
以上のように、図４のサービス提供システム２１においては、ユーザが所持した携帯端末が、所定の空間領域（すなわち、通信可能領域４１AB）に一定時間存在することが、サービスの提供を受ける条件として設定されている。
【００６１】
したがって、ユーザは、携帯端末を所定の空間領域に配置したり、かざすだけで、それに応じたサービスを受けることができる。これにより、サービス提供システム２１においては、ユーザに対して、アンビエントなサービスを提供することが可能になる。
【００６２】
なお、上記説明においては、通信装置３１−１乃至３１−３がネットワーク３３を介して、相互にデータを送受信することで、サービス提供システム２１の認証処理が可能とされるため、ネットワーク３３に接続される通信装置３１−１乃至３１−３は、１つのサービス提供装置ともみなされる。また、ネットワーク３３にサーバを接続し、サーバにより、サービス提供装置である通信装置３１−１乃至３１−３の処理を制御するように構成してもよい。
【００６３】
以下、通信装置３１−１乃至３１−３、および指向性アンテナ４１−１乃至４１−３を個々に区別する必要がない場合、単に、通信装置３１、および指向性アンテナ４１と称する。
【００６４】
図５は、通信装置３１の構成例を示すブロック図である。
【００６５】
ＣＰＵ（Central Processing Unit）５１は、ＲＯＭ（Read Only Memory）５３に記憶されているプログラム、または記憶部５７からＲＡＭ（Random Access Memory）５４にロードされたプログラムなどに従って各種の処理を実行する。ＲＡＭ５４にはまた、ＣＰＵ５１が各種の処理を実行する上において必要なデータなども適宜記憶される。
【００６６】
ＣＰＵ５１、ＲＯＭ５３、およびＲＡＭ５４は、バス５２を介して相互に接続されている。バス５２には、キーボード、マウスなどよりなる入力部５５、モデム、ターミナルアダプタ、またはネットワークインタフェースなどより構成される通信部５６、ハードディスクなどより構成される記憶部５７、指向性アンテナ４１を有する無線通信部５８が接続されている。
【００６７】
通信部５６は、ＣＰＵ５１の制御のもと、ネットワーク３３に接続された他の装置と情報の送受信を行う。無線通信部５８は、ＣＰＵ５１の制御のもと、指向性アンテナ４１を介して、指向性アンテナ４１の通信可能領域に存在する他の装置（例えば、携帯端末３２）と情報の送受信を行う。
【００６８】
バス５２にはまた、必要に応じてドライブ５９が接続され、磁気ディスク８１、光ディスク８２、光磁気ディスク８３、或いは半導体メモリ８４などが適宜装着され、それらから読み出されたコンピュータプログラムが、必要に応じて記憶部５７にインストールされる。
【００６９】
図６は、携帯端末３２の構成例を示すブロック図である。
【００７０】
ＣＰＵ１０１は、ＲＯＭ１０３に記憶されているプログラム、または記憶部１０６からＲＡＭ１０４にロードされたプログラムなどに従って各種の処理を実行する。ＲＡＭ１０４にはまた、ＣＰＵ１０１が各種の処理を実行する上において必要なデータなども適宜記憶される。
【００７１】
ＣＰＵ１０１、ＲＯＭ１０３、およびＲＡＭ１０４は、バス１０２を介して相互に接続されている。バス１０２には、また、操作部１０５、ハードディスクなどより構成される記憶部１０６、メモリカードなどの記録媒体が装着可能なI／Ｏ(Input/Output)ポート１０７、無線通信部１０８、 センサ１０９、画像信号処理部１１０、および音声信号処理部１１１などが接続されている。
【００７２】
操作部１０５は、例えば、各種のボタンやタッチパネルなどからなり、ユーザの操作に対応する信号を、ＣＰＵ１０１に供給する。
【００７３】
無線通信部１０８は、ＣＰＵ１０１の制御のもと、通信アンテナ４２を介して、通信アンテナ４２の通信可能範囲に存在する他の装置（例えば、通信装置３１）と情報の送受信を行う。
【００７４】
センサ１０９は、例えば、ジャイロセンサや方位センサなどで構成され、ユーザが携帯端末３２に対してある一定の動作（回転など）を行った場合、その携帯端末３２の一定の動作を検出し、その検出情報を、ＣＰＵ１０１に供給する。
【００７５】
画像信号処理部１１０は、ＣＰＵ１０１の制御のもと、入力される画像（静止画像または動画像）データに対応する画像を、ＬＣＤ１１２に表示させる。音声信号処理部１１１は、ＣＰＵ１０１の制御のもと、入力される音声データに対応する音声を、スピーカ１１３から出力させる。
【００７６】
図７は、図４のサービス提供システム２１における携帯端末３２の機能構成例を示すブロック図である。図７に示される機能ブロックは、ＣＰＵ１０１により所定のプログラムが実行されることで実現される。
【００７７】
認証処理制御部１３１は、無線通信部１０８を介して、通信装置３１に対して、認証情報を要求したり、データ処理部１３２を制御し、無線通信部１０８を介して受信されたデータに応じた処理を実行させる。また、認証処理制御部１３１は、認証データ送信部１３３を制御し、データ処理部１３２により得られた認証情報を、無線通信部１０８を介して送信させる。
【００７８】
データ処理部１３２は、認証処理制御部１３１の制御のもと、無線通信部１０８により受信されたデータを用いて、認証情報を得るための処理を行う。
【００７９】
すなわち、無線通信部１０８より、暗号化された認証データと暗号鍵データが入力された場合、データ処理部１３２は、暗号鍵データを用いて、暗号化された認証データを復号する処理を行い、処理の結果、得られた認証情報を、認証データ送信部１３３に出力する。また、無線通信部１０８より、複数のブロックに分割されたデータが入力された場合、データ処理部１３２は、複数のブロックを合成する処理を行い、処理の結果、得られた認証情報を、認証データ送信部１３３に出力する。
【００８０】
認証データ送信部１３３は、認証処理制御部１３１の制御のもと、データ処理部１３２から入力された認証情報を、無線通信部１０８および通信アンテナ４２を介して送信する。
【００８１】
次に、図８および図９のフローチャートを参照して、図４のサービス提供システム２１の処理を説明する。
【００８２】
図８においては、サービス提供システム２１により認証された携帯端末３２を携帯するユーザには、ある建物に入ることが許可されるというサービスが提供される例が示されている。
【００８３】
ユーザは、このサービスを受けるため、まず、通信装置３１−１および３１−２が設置されている空間において、通信装置３１−１が有する指向性アンテナ４１−１の通信可能領域４１Aと、通信装置３１−２が有する指向性アンテナ４１−２の通信可能領域４１Bとが重なる領域（すなわち、通信可能領域４１AB）に、携帯端末３２を挿入し、携帯端末３２を所定の時間、通信可能領域４１ABに滞在させる。
【００８４】
なお、この通信可能領域４１ABは、例えば、可視光線による無線通信以外の場合には
ユーザに対して、不可視の領域である。したがって、この場合には、その領域内に台などを置いて、通信可能領域４１ABのおおよその位置を明示するようにしてもよい。
【００８５】
通信装置３１−１および３１−２の無線通信部５８は、指向性アンテナ４１−１および４１−２から、それぞれの通信可能領域４１Aおよび４１Bに向けてそれぞれ呼びかけ電波を送出している。
【００８６】
通信可能領域４１ABに存在する携帯端末３２の無線通信部１０８は、通信アンテナ４２を介して、通信装置３１−１および３１−２からの呼びかけ電波を受信すると、認証処理制御部１３１に通知する。認証処理制御部１３１は、ステップＳ１１において、無線通信部１０８を制御し、通信アンテナ４２を介して、通信装置３１−１および３１−２に対してそれぞれ認証情報を要求させる。
【００８７】
通信装置３１−１の無線通信部５８は、ステップＳ２１において、指向性アンテナ４１−１を介して、携帯端末３２からの認証情報の要求を受信し、ＣＰＵ５１に供給し、ステップＳ２２に進む。
【００８８】
通信装置３１−１のＣＰＵ５１は、携帯端末３２からの要求に対して、通信装置３１−２と共有の暗号鍵データを用いて、認証情報を暗号化し、暗号化された認証データを、無線通信部５８に供給する。無線通信部５８は、ステップＳ２２において、暗号化された認証データを、指向性アンテナ４１−１を介して、通信可能領域４１A（通信可能領域４１ABも含む）に存在する携帯端末３２に送信する。
【００８９】
一方、通信装置３１−２の無線通信部５８も、ステップＳ３１において、指向性アンテナ４１−２を介して、携帯端末３２からの認証情報の要求を受信し、ＣＰＵ５１に供給し、ステップＳ３２に進む。
【００９０】
通信装置３１−２のＣＰＵ５１は、携帯端末３２からの要求に対して、通信装置３１−１と共有の暗号鍵データを供給する。無線通信部５８は、ステップＳ２２において、暗号鍵データを、指向性アンテナ４１−２を介して、通信可能領域４１B（通信可能領域４１ABも含む）に存在する携帯端末３２に送信する。
【００９１】
携帯端末３２の無線通信部１０８は、ステップＳ１２において、通信アンテナ４２を介して、通信装置３１−１からの暗号化された認証データを受信し、通信装置３１−２からの暗号鍵データを受信すると、認証処理制御部１３１に供給し、ステップＳ１３に進む。
【００９２】
認証処理制御部１３１は、ステップＳ１３において、データ処理部１３２を制御し、暗号鍵データを用いて、認証データを復号させ、認証情報を取得させる。データ処理部１３２は、取得した認証情報を、認証データ送信部１３３に供給し、ステップＳ１４に進む。
【００９３】
上述した認証情報の取得処理は、携帯端末３２、通信装置３１−１および３１−２により所定の時間内に実行される。したがって、ユーザは、所定の時間が経過すると、携帯端末３２を携帯して、通信装置３１−３が設置されている空間に移動し、通信装置３１−３が有する指向性アンテナ４１−３の通信可能領域４１Cに、携帯端末３２を挿入し、一定時間滞在させる。
【００９４】
なお、携帯端末３２に、所定の時間の経過または認証情報の取得完了を、ＬＣＤ１１２や図示せぬＬＥＤに表示させたり、スピーカ１１３から音として出力させて、ユーザに、認証情報が取得されたことを通知させるようにしてもよい。
【００９５】
通信装置３１−３の無線通信部５８は、指向性アンテナ４１から通信可能領域４１Cに向けて、認証情報を要求する呼びかけ電波を送出している。
【００９６】
通信可能領域４１Cに存在する携帯端末３２の無線通信部１０８は、通信アンテナ４２を介して、通信装置３１−３からの呼びかけ電波を受信すると、認証処理制御部１３１に通知する。認証処理制御部１３１は、ステップＳ１４において、認証データ送信部１３３を制御し、無線通信部１０８および通信アンテナ４２を介して、認証情報を送信させる。
【００９７】
通信装置３１−３の無線通信部５８は、指向性アンテナ４１−３を介して、携帯端末３２からの認証情報を受信し、ＣＰＵ５１に供給する。認証情報は、サービス提供システム２１内（通信装置３１−１乃至３１−３間）で有効期限ごとに更新されているため、ＣＰＵ５１は、ステップＳ４１において、認証情報が、現在の正しい認証情報であるか否かを判定する。
【００９８】
通信装置３１−３のＣＰＵ５１は、ステップＳ４１において、正しい認証情報であると判定した場合、ステップＳ４２に進み、サービス提供システム２１のサービスを提供する。すなわち、この場合、通信装置３１−３は、ドア１５１の鍵を開錠し、携帯端末３２を携帯するユーザに対して、ドア１５１内への進入を許可する。
【００９９】
また、認証情報の有効期限が切れている場合（すなわち、通信装置３１−１および３１−２の認証情報送信から、有効期限以上の時間が経過している場合）、ステップＳ４１において、携帯端末３２からの認証情報が正しい認証情報ではないと判定され、ステップＳ４２の処理はスキップされる。すなわち、ユーザには、サービス提供システム２１のサービスは、提供されない。
【０１００】
なお、上記説明においては、初めに通信装置３１−１乃至３１−３が呼びかけ電波を送信しているとして説明したが、携帯端末３２側から送信するようにしてもよい。すなわち、通信のきっかけは、どちらの装置側からであってもよい。
【０１０１】
以上のように、サービス提供システム２１のサービスの提供を受けるための認証情報は、指向性アンテナ４１−１および４１−２の通信可能領域４１ABにおいてのみ取得される。
【０１０２】
したがって、ユーザは、指向性アンテナ４１−１および４１−２の通信可能領域４１ABに携帯端末３２を挿入する（設置あるいは滞在させる）だけで、簡単に、認証情報を取得でき、その後、指向性アンテナ４１−３の通信可能領域４１Cに携帯端末３２を挿入するだけで、簡単に、サービス提供システム２１のサービスを受けることができる。
【０１０３】
なお、指向性アンテナ４１−１および４１−２の通信可能領域４１ABにおいて認証情報を要求する際に、携帯端末３２がセンサ１０９からの検出情報を、通信装置３１−１および３１−２に送信することにより、サービス提供システム２１においては、検出情報に応じた、さらなる特別なサービスの提供を行うようにすることもできる。
【０１０４】
次に、図１０のフローチャートを参照して、図４のサービス提供システム２１の他の処理を説明する。なお、図１０の例は、図９の他の例であり、図９と共通する部分におけるその詳細な説明は適宜省略する。
【０１０５】
図１０においては、センサ１０９からの検出情報も送信され、サービス提供システム２１により検出情報に応じて認証されたユーザには、音楽データの配信というサービスが提供される例が示されている。
【０１０６】
ユーザは、このサービスを受けるため、まず、通信装置３１−１および３１−２が設置されている空間において、通信装置３１−１が有する指向性アンテナ４１−１の通信可能領域４１Aと、通信装置３１−２が有する指向性アンテナ４１−２の通信可能領域４１Bとが重なる領域（すなわち、通信可能領域４１AB）に、携帯端末３２を挿入し、携帯端末３２を所定の時間、通信可能領域４１ABに滞在させる。
【０１０７】
なお、この間において、ユーザは、携帯端末３２に対して、サービス提供システム２１において予め設定されている所定の動作をさせる。例えば、ユーザは、携帯端末３２を右回りに３回転させ、左回りに５回転させる。センサ１０９は、ユーザにより携帯端末３２になされた動作を検出し、その検出情報をＣＰＵ５１に供給する。
【０１０８】
通信装置３１−１および３１−２の無線通信部５８は、指向性アンテナ４１−１および４１−２から、それぞれの通信可能領域４１Aおよび４１Bに向けてそれぞれ呼びかけ電波を送出している。
【０１０９】
通信可能領域４１ABに存在する携帯端末３２の無線通信部１０８は、通信アンテナ４２を介して、通信装置３１−１および３１−２からの呼びかけ電波を受信すると、認証処理制御部１３１に通知する。認証処理制御部１３１は、ステップＳ５１において、無線通信部１０８を制御し、通信アンテナ４２を介して、通信装置３１−１および３１−２に対して、センサ１０９の検出情報を送付させるとともに、それぞれ認証情報を要求させる。
【０１１０】
通信装置３１−１の無線通信部５８は、ステップＳ６１において、指向性アンテナ４１−１を介して、携帯端末３２からの認証情報の要求およびセンサ１０９の検出情報を受信し、ＣＰＵ５１に供給し、ステップＳ６２に進む。
【０１１１】
ここで、サービス提供システム２１においては、所定の動作に対して提供されるサービスが予め設定されており、さらに、そのサービスを受けるためには、所定の動きに対して設定されている認証情報が必要となる。また、いまの場合、通信装置３１−１と３１−２との間で、認証情報は、複数のブロックに分割され、それぞれが送信する部分が設定されている。
【０１１２】
通信装置３１−１のＣＰＵ５１は、携帯端末３２からの要求に対して、検出情報（所定の動作の検出情報）に応じた認証情報の一部を、無線通信部５８に供給する。無線通信部５８は、ステップＳ６２において、センサ１０９の検出情報に応じて、認証情報の一部を、指向性アンテナ４１−１を介して、通信可能領域４１A（通信可能領域４１ABも含む）に存在する携帯端末３２に送信する。
【０１１３】
一方、通信装置３１−２の無線通信部５８も、ステップＳ７１において、指向性アンテナ４１−２を介して、携帯端末３２からの認証情報の要求およびセンサ１０９の検出情報を受信し、ＣＰＵ５１に供給し、ステップＳ７２に進む。
【０１１４】
通信装置３１−２のＣＰＵ５１は、携帯端末３２からの要求に対して、検出情報に応じた認証情報の一部（通信装置３１−１が送信した残り）を、無線通信部５８に供給する。無線通信部５８は、ステップＳ７２において、センサ１０９の検出情報に応じて、認証情報の一部を、指向性アンテナ４１−２を介して、通信可能領域４１B（通信可能領域４１ABも含む）に存在する携帯端末３２に送信する。
【０１１５】
携帯端末３２の無線通信部１０８は、ステップＳ５２において、通信アンテナ４２を介して、通信装置３１−１からの認証情報の一部を受信し、通信装置３１−２からの認証情報の一部を受信すると、認証処理制御部１３１に供給し、ステップＳ５３に進む。
【０１１６】
認証処理制御部１３１は、ステップＳ５３において、データ処理部１３２を制御し、受信した双方の認証情報の一部を用いて、認証情報を合成させ、認証情報を取得させる。データ処理部１３２は、取得した認証情報を、認証データ送信部１３３に供給し、ステップＳ５４に進む。
【０１１７】
上述した認証情報の取得処理は、携帯端末３２、通信装置３１−１および３１−２により所定の時間内に実行される。したがって、ユーザは、所定の時間が経過すると、携帯端末３２を携帯して、通信装置３１−３が設置されている空間に移動し、通信装置３１−３が有する指向性アンテナ４１−３の通信可能領域４１Cに、携帯端末３２を挿入し、一定時間滞在させる。
【０１１８】
通信装置３１−３の無線通信部５８は、指向性アンテナ４１から通信可能領域４１Cに向けて、認証情報を要求する呼びかけ電波を送出している。
【０１１９】
通信可能領域４１Cに存在する携帯端末３２の無線通信部１０８は、通信アンテナ４２を介して、通信装置３１−３からの呼びかけ電波を受信すると、認証処理制御部１３１に通知する。認証処理制御部１３１は、ステップＳ５４において、認証データ送信部１３３を制御し、無線通信部１０８および通信アンテナ４２を介して、認証情報を送信させる。
【０１２０】
通信装置３１−３の無線通信部５８は、指向性アンテナ４１−３を介して、携帯端末３２からの認証情報を受信し、ＣＰＵ５１に供給する。ＣＰＵ５１は、ステップＳ８１において、認証情報が、現在の正しい認証情報であるか否かを判定し、正しい認証情報であると判定した場合、ステップＳ８２に進み、サービス提供システム２１のサービスを提供する。すなわち、この場合、例えば、認証情報に応じた音声データが提供（配信）される。
【０１２１】
また、認証情報の有効期限が切れている場合（すなわち、通信装置３１−１および３１−２の認証情報送信から、有効期限以上の時間が経過している場合）、ステップＳ８１において、携帯端末３２からの認証情報が正しい認証情報ではないと判定され、ステップＳ８２の処理はスキップされる。すなわち、ユーザには、サービス提供システム２１のサービスは提供されない。
【０１２２】
以上のように、携帯端末３２に搭載されたセンサ１０９により、通信可能領域４１ABにおいて、携帯端末３２の動作を検出させ、検出された情報を送信することにより、検出情報に応じた認証情報を取得することができ、通信可能領域４１AB内において検出される動作に応じた異なるサービスを提供することができる。
【０１２３】
この異なるサービスを受けるための情報としては、センサ１０９による検出情報でなくとも、通信可能領域４１AB内においてユーザにより操作部１０５を操作させて、識別子およびパスワードを入力し、それを通信装置３１−１および３１−２に送信させるようにしてもよい。
【０１２４】
なお、上記説明においては、通信装置３１−１および３１−２が、携帯端末３２に対して認証情報を暗号化して送信する例と、認証情報を分割して送信する例を説明したが、上述した例に限定されず、所定の時間内に通信装置３１−１および３１−２の双方とデータ通信することで、認証情報が得られる方法であれば、他の方法であってもよい。
【０１２５】
例えば、通信装置３１−１および３１−２に、携帯端末３２から一定間隔で送信される信号（ビーコンシグナル）を観測させ、通信装置３１−１および３１−２において受信されたビーコンシグナルの信号強度が共にあるしきい値を超えている場合、携帯端末３２が通信可能領域４１ABにいるものと判定し、通信装置３１−１および３１−２のどちらか一方から、認証情報を送信するようにする方法も考えられる。
【０１２６】
ただし、このように、携帯端末３２からのビーコンシグナルを利用する場合、携帯端末３２の送信出力を予め、通信装置３１−１および３１−２側が把握しておく必要がある。
【０１２７】
また、図４のサービス提供システム２１においては、通信装置３１−１および３１−２の２台により認証情報を送信するようにしたが、２台に限定されず、３台でも４台でもよい。この場合には、複数台の通信装置が通信可能な領域が用いられる。
【０１２８】
さらに、図４のサービス提供システム２１においては、通信装置３１−３が１台により携帯端末を認証し、サービスの提供を許可するようにしたが、サービス提供を許可する場合にも、認証情報を提供する場合と同様に、複数台の通信装置でサービスの提供を許可するようにしてもよい。この場合には、複数台の通信装置が通信可能な領域が用いられる。
【０１２９】
図１１は、本発明を適用したサービス提供システム２０１の構成例を示している。なお、図４の場合と対応する部分には、対応する符号が付してあり、その説明は繰り返しになるので適宜省略する。
【０１３０】
このサービス提供システム２０１においては、通信装置２１１−１乃至２１１−３は、図４の通信装置３１と同様に、それぞれ指向性を有する指向性アンテナ４１−１乃至４１−３を備えており、指向性アンテナ４１−１乃至４１−３を用いて、指向性アンテナ４１−１乃至４１−３の通信可能領域４１A乃至４１Cに存在する携帯端末３２と無線通信を行う。
【０１３１】
また、通信装置２１１−１乃至２１１−３は、図４の通信装置３１と同様に、指向性アンテナ４１−１乃至４１−３を用いての無線通信以外の通信によりネットワーク３３に接続されており、所定のデータを相互に受け渡しすることができるように構成されている。
【０１３２】
なお、サービス提供システム２０１においては、通信装置２１１−１乃至２１１−３から提供されるコンテンツなどは、例えば、ネットワーク３３に接続される図示せぬサーバなどで管理されている。したがって、ネットワーク３３に接続される通信装置２１１−１乃至２１１−３は、１つのサービス提供装置ともいえる。
【０１３３】
通信装置２１１−１乃至２１１−３は、指向性アンテナ４１−１の通信可能領域４１Aと指向性アンテナ４１−２の通信可能領域４１Bが重なる通信可能領域４１AB、指向性アンテナ４１−２の通信可能領域４１Bと指向性アンテナ４１−３の通信可能領域４１Cが重なる通信可能領域４１BC、並びに、指向性アンテナ４１−１の通信可能領域４１A、指向性アンテナ４１−２の通信可能領域４１B、および指向性アンテナ４１−３の通信可能領域４１Cが重なる通信可能領域４１ABCが形成されるように、所定の空間内に配置されており、指向性アンテナ４１−１乃至４１−３をそれぞれ用いて、サービス提供システム２０１のサービスを受けるユーザの携帯端末３２に対して、所定のコンテンツのデータを配信する。
【０１３４】
通信装置２１１−１乃至２１１−３から、配信されるコンテンツのデータとしては、音声データ、静止画像データ、および動画像データが、それぞれ高品質、低品質の両方で送信される。
【０１３５】
なお、提供されるデータは、高品質および低品質の少なくとも一方であってもよいし、データの組み合わせも３つでなくてもよく、さらに、他のデータも含まれてもよい。例えば、他のデータとしては、携帯端末３２に表示される画面上で用いられるメニュー情報や、コンテンツを正しく再生するためのエンコード情報など、コンテンツの視聴を補助する情報などがあげられる。
【０１３６】
また、以下、通信装置２１１−１乃至２１１−３を個々に区別する必要がない場合、単に、通信装置２１１とも称する。この通信装置２１１は、３台に限定されず、２台でも４台でもさらに多くの台数で構成されてもよく、また、その配置も、図１１の例に限定されない。
【０１３７】
さらに、通信装置２１１は、図４の通信装置３１と同様の構成をしているので、以下、図５の構成は、通信装置２１１の構成としても用いられる。
【０１３８】
携帯端末３２は、通信アンテナ４２を備えており、ユーザにより携帯され、空間内の所定の領域に挿入されることで、所定の領域を通信可能領域とした通信装置２１１と無線通信を行う。
【０１３９】
ユーザが携帯することで、各通信可能領域内に滞在（存在）する携帯端末３２は、その領域を、通信可能領域とする通信装置２１１から送信されるコンテンツの各データを受信し、受信したコンテンツ数に応じて、受信したコンテンツのデータからなる表示信号や音声信号を生成し、対応する画像や音声を、ＬＣＤ１１２およびスピーカ１１３から出力させる。
【０１４０】
例えば、通信可能領域４１A、４１B、または４１Cに存在する携帯端末３２は、対応する１つの通信装置２１１からコンテンツの各データを受信すると、１つのコンテンツの画像や音声を、ＬＣＤ１１２およびスピーカ１１３から出力させる。
【０１４１】
通信可能領域４１AB、または４１BCに存在する携帯端末３２は、対応する２つの通信装置２１１からコンテンツの各データを受信すると、２つのコンテンツで構成される画像や、どちらか一方の音声を、ＬＣＤ１１２およびスピーカ１１３から出力させる。
【０１４２】
通信可能領域４１ABCに存在する携帯端末３２は、３つの通信装置２１１からコンテンツの各データを受信すると、３つのコンテンツで構成される画像や、いずれか１つの音声を、ＬＣＤ１１２およびスピーカ１１３から出力させる。
【０１４３】
以上のように、図１１のサービス提供システム２０１においては、空間領域に応じて、携帯端末に受信可能なコンテンツのデータが異なる。すなわち、サービス提供システム２０１においては、ユーザが所持した携帯端末が存在する空間領域に応じて異なるサービスが提供される。
【０１４４】
したがって、ユーザは、携帯端末を携帯し、所定の空間領域に移動するだけで、移動した位置に応じたサービスを受けることができる。これにより、サービス提供システム２０１においては、ユーザに対して、アンビエントなサービスを提供することが可能になる。
【０１４５】
図１２は、図１１のサービス提供システム２０１における携帯端末３２の機能構成例を示すブロック図である。図１２に示される機能ブロックは、ＣＰＵ１０１により所定のプログラムが実行されることで実現される。
【０１４６】
データ取得制御部２３１は、無線通信部１０８を介して受信された通信装置２１１からのコンテンツ（コンテンツの数、コンテンツを構成するデータの種類、または、コンテンツに付加されたメタデータなど）に応じて、データ生成部２３２を制御し、受信したコンテンツのデータからなる表示信号や音声信号を生成させる。
【０１４７】
データ生成部２３２は、データ取得制御部２３１の制御のもと、受信したコンテンツのデータの中から、所定の静止画像データまたは動画像データを重畳して、表示信号を生成し、生成した表示信号を、データ出力制御部２３３に出力する。また、データ生成部２３２は、データ取得制御部２３１の制御のもと、受信したコンテンツのデータの中から、所定の音声データを、そのままあるいは合成して、音声信号を生成し、生成した音声信号を、データ出力制御部２３３に出力する。
【０１４８】
データ出力制御部２３３は、データ生成部２３２により生成された表示信号を、画像信号処理部１１０に出力し、画像信号処理部１１０を制御し、対応する画像を、ＬＣＤ１１２に表示させたり、データ生成部２３２により生成された音声信号を音声信号処理部１１１に出力し、音声信号処理部１１１を制御し、対応する音声を、スピーカ１１３から出力させる。
【０１４９】
次に、図１３および図１４のフローチャートを参照して、図１１のサービス提供システム２０１の処理を説明する。
【０１５０】
図１３の例においては、サービス提供システム２０１においては、ユーザの携帯端末３２に対して、通信装置２１１−１からコンテンツＡの動画像データ、静止画像データ、および音声データが配信され、通信装置２１１−２からコンテンツＢの動画像データ、静止画像データ、および音声データが配信され、通信装置２１１−３からコンテンツＣの動画像データ、静止画像データ、および音声データが配信されるよう設定されている。
【０１５１】
通信装置２１１−１の無線通信部５８は、図１４のステップＳ１１１において、指向性アンテナ４１−１から、通信可能領域４１A（通信可能領域４１AB、通信可能領域４１ABCを含む）に向けてコンテンツＡのデータ（動画像データ、静止画像データ、および音声データ）を送信している。
【０１５２】
通信装置２１１−２の無線通信部５８は、ステップＳ１２１において、指向性アンテナ４１−２から、通信可能領域４１B（通信可能領域４１AB、通信可能領域４１BC、通信可能領域４１ABCを含む）に向けてコンテンツＢのデータ（動画像データ、静止画像データ、および音声データ）を送信している。
【０１５３】
通信装置２１１−３の無線通信部５８は、ステップＳ１３１において、指向性アンテナ４１−３から、通信可能領域４１C（通信可能領域４１BC、通信可能領域４１ABCを含む）に向けてコンテンツＢのデータ（動画像データ、静止画像データ、および音声データ）を送信している。
【０１５４】
携帯端末３２を携帯（所持）するユーザは、このサービス提供システム２０１のサービスを受けるため、通信装置２１１−１乃至２１１−３によるそれぞれの通信可能領域のうち、所望のコンテンツを視聴することが可能な通信可能領域に移動する。
【０１５５】
ユーザ所望の通信可能領域に滞在する携帯端末３２の無線通信部１０８は、ステップＳ１４１において、通信アンテナ４２を介して、その領域を通信可能領域とした通信装置２１１の指向性アンテナ４１から送信されるコンテンツの各データを受信し、コンテンツの受信を、データ取得制御部２３１に通知し、ステップＳ１４２に進む。
【０１５６】
データ取得制御部２３１は、ステップＳ１４２において、無線通信部１０８が受信したコンテンツに応じて、データ生成部２３２を制御し、受信したコンテンツのデータからなる表示信号を生成させる。データ生成部２３２は、表示信号を生成し、生成した表示信号を、データ出力制御部２３３に出力し、ステップＳ１４３に進む。
【０１５７】
データ出力制御部２３３は、ステップＳ１４３において、データ生成部２３２からの表示信号を、画像信号処理部１１０に出力し、画像信号処理部１１０を制御し、表示信号に対応する画像をＬＣＤ１１２に表示させる。これにより、ＬＣＤ１１２には、通信装置２１１のうちのいずれかからのコンテンツが表示される。
【０１５８】
なお、このとき、音声信号は、データ取得制御部２３１の制御により、必要に応じて、データ生成部２３２を制御して生成され、データ出力制御部２３３、音声信号処理部１１１を介してスピーカ１１３に出力される。
【０１５９】
具体的には、図１３の例の場合、通信可能領域４１Aに存在する携帯端末３２の無線通信部１０８には、通信装置２１１−１の指向性アンテナ４１−１からのコンテンツＡのみのデータ（動画像データ、静止画像データ、および音声データ）が受信される。
【０１６０】
したがって、携帯端末３２のデータ取得制御部２３１は、コンテンツＡのみが受信されたことを判定し、データ生成部２３２を制御し、コンテンツＡの動画像データの画像が大きく表示されるように、表示信号を生成させ、そして、コンテンツＡの音声データに対応する音声信号を生成させる。
【０１６１】
表示信号は、データ出力制御部２３３の制御のもと、画像信号処理部１１０を介して、ＬＣＤ１１２に出力され、音声信号は、データ出力制御部２３３の制御のもと、音声信号処理部１１１を介して、スピーカ１１３に出力される。
【０１６２】
これにより、図１３に示されるように、通信可能領域４１Aに存在する携帯端末３２のＬＣＤ１１２には、コンテンツＡの、例えば、動画像データに対応する画像からなる画面２５１が表示され、携帯端末３２のスピーカ１１３からは、コンテンツＡの音声データに対応する音声が出力される。
【０１６３】
また、例えば、通信可能領域４１ABに存在する携帯端末３２の無線通信部１０８には、通信装置２１１−１の指向性アンテナ４１−１からのコンテンツＡのデータ（動画像データ、静止画像データ、および音声データ）と、通信装置２１１−２の指向性アンテナ４１−２からのコンテンツＢのデータが受信される。
【０１６４】
したがって、携帯端末３２のデータ取得制御部２３１は、コンテンツＡおよびコンテンツＢが受信されたことを判定し、データ生成部２３２を制御し、コンテンツＡの動画像データの画像と、コンテンツＢの動画像データの画像が２つ並べて表示されるように、２つの動画像データを重畳させて表示信号を生成させ、そして、コンテンツＡまたはコンテンツＢの音声データのどちらか（例えば、コンテンツＢ）に対応する音声信号を生成させる。
【０１６５】
表示信号は、データ出力制御部２３３の制御のもと、画像信号処理部１１０を介して、ＬＣＤ１１２に出力され、音声信号は、データ出力制御部２３３の制御のもと、音声信号処理部１１１を介して、スピーカ１１３に出力される。
【０１６６】
これにより、図１３に示されるように、通信可能領域４１ABに存在する携帯端末３２のＬＣＤ１１２には、コンテンツＡおよびコンテンツＢの、例えば、静止画像データに対応する画像が２つ並んで構成される画面２５２が表示され、携帯端末３２のスピーカ１１３からは、コンテンツＢの音声データに対応する音声が出力される。
【０１６７】
さらに、例えば、通信可能領域４１ABCに存在する携帯端末３２の無線通信部１０８には、通信装置２１１−１の指向性アンテナ４１−１からのコンテンツＡのデータ（動画像データ、静止画像データ、および音声データ）、通信装置２１１−２の指向性アンテナ４１−２からのコンテンツＢのデータ、および通信装置２１１−３の指向性アンテナ４１−３からのコンテンツＣのデータが受信される。
【０１６８】
したがって、携帯端末３２のデータ取得制御部２３１は、コンテンツＡ、コンテンツＢ、およびコンテンツＣが受信されたことを判定し、データ生成部２３２を制御し、コンテンツＡの静止画像データの画像と、コンテンツＢの静止画像データの画像、コンテンツＣの静止画像データの画像を３つ並べて表示されるように、３つの静止画像データを重畳させて表示信号を生成させ、そして、音声信号は生成させない。
【０１６９】
表示信号は、データ出力制御部２３３の制御のもと、画像信号処理部１１０を介して、ＬＣＤ１１２に出力される。
【０１７０】
これにより、図１３に示されるように、通信可能領域４１ABに存在する携帯端末３２のＬＣＤ１１２には、コンテンツＡ、コンテンツＢ、およびコンテンツＣの、例えば、静止画像データに対応する画像が３つ並んで構成される画面２５３が表示され、携帯端末３２のスピーカ１１３からは、何も出力されない。
【０１７１】
すなわち、携帯端末３２においては、１つのコンテンツのみが受信された場合には、そのコンテンツの動画像データに対応する画像が表示され、コンテンツの音声データが出力されるので、ユーザは、そのコンテンツの動画像を視聴することができる。
【０１７２】
携帯端末３２においては、２つのコンテンツのみが受信された場合には、そのコンテンツの動画像データに対応する画像が、１つのコンテンツが受信される場合よりも小さく表示され、そのうちの１つのコンテンツの音声データが出力されるので、ユーザは、そのコンテンツの動画像を簡単に視聴して、所望のコンテンツのみが受信される領域に移動することができる。
【０１７３】
携帯端末３２においては、３つのコンテンツのみが受信された場合には、そのコンテンツの静止画像データに対応する画像が、２つのコンテンツが受信される場合よりも小さく表示されるので、ユーザは、そのコンテンツの静止画像を簡単に見て、どのようなコンテンツが配信されているのかをしり、所望のコンテンツのみが受信される領域に移動することができる。
【０１７４】
なお、データに対応する画像の表示方法と音声の出力方法は、上述した方法および組み合わせに限らない。例えば、２つの音声データを両方とも出力させるようにしてもよいし、３つの動画像データに対応する画像を並べて表示させるようにしてもよい。さらにその画面内の画像の並べ方も、図１３の例には限定されない。また、これらの出力を制御するデータも、メタデータとして通信装置２１１から送信されるようにすることもできる。
【０１７５】
以上のように、サービス提供システム２０１においては、ユーザが所持した携帯端末が存在する空間領域に応じて異なるサービスが提供される。したがって、ユーザは、携帯端末を携帯し、所定の空間領域に移動するだけで、移動した位置に応じたサービスを受けることができる。
【０１７６】
図１５は、本発明を適用したサービス提供システム３０１の構成例を示している。なお、図１５のサービス提供システム３０１は、図４のサービス提供システム２１の他の構成例であり、図４の例の場合と対応する部分には、対応する符号が付してあり、その説明は繰り返しになるので適宜省略する。
【０１７７】
このサービス提供システム３０１においては、通信装置３１１−１および３１１−２は、図４の通信装置３１と同様に、それぞれ指向性を有する指向性アンテナ４１−１および４１−２を備えており、指向性アンテナ４１−１および４１−２を用いて、指向性アンテナ４１−１および４１−２の通信可能領域４１Aおよび４１Bに存在する携帯端末３２と無線通信を行う。
【０１７８】
通信装置３１１−１および３１１−２は、指向性アンテナ４１−１および４１−２を用いての無線通信以外の通信によりネットワーク３１２に接続されており、所定のデータを相互に受け渡しすることができるように構成されている。
【０１７９】
このネットワーク３１２は、例えば、無線ＬＡＮ(Local Area Network)などで構成されるが、有線のネットワークであってもよく、通信装置３１１−１および３１１−２間の通信は、暗号化などによりセキュアに接続されている。
【０１８０】
また、図１５の例においては、ネットワーク３１２には、携帯端末３１３−１乃至３１３−３も接続されている。
【０１８１】
通信装置３１１−１および３１１−２は、図４の通信装置３１−１および３１−２と同様に、指向性アンテナ４１−１の通信可能領域４１Aと指向性アンテナ４１−２の通信可能領域４１Bが重なる通信可能領域４１ABが形成されるように、所定の空間内に配置されており、指向性アンテナ４１−１および４１−２を用いて、サービス提供システム３０１のサービスを受けるユーザの携帯端末３２が必要な認証情報となるデータを送信する。
【０１８２】
また、通信装置３１１−１は、図４の通信装置３１−３の処理も行う。すなわち、通信装置３１１−１は、サービス提供システム３０１のサービスを受けるユーザの携帯端末３２に対して認証処理を行い、認証処理により認証された携帯端末３２に対して、サービス提供システム３０１のサービスの提供を開始する。
【０１８３】
例えば、図１５の例においては、携帯端末３２をネットワーク３１２に接続させ、携帯端末３２が有する静止画像データなどを、ネットワーク３１２を介して、他の携帯端末３１３−１乃至３１３−３に送信させ、携帯端末３１３−１乃至３１３−３から出力させるなどのサービスが提供される。
【０１８４】
携帯端末３２は、通信可能領域４１AB内において、通信可能領域４１ABを通信可能領域とする通信装置３１１−１および通信装置３１１−２とデータの送受信を行い、得られたデータを、復号または合成などのデータ処理を行うことで、認証情報を取得し、取得した認証情報を、通信装置３１１−１に送信し、通信装置３１１−１による認証を得る。
【０１８５】
これにより、携帯端末３２またはそれを所持したユーザは、サービス提供システム３０１のサービスの提供を受けることができる。
【０１８６】
携帯端末３１３−１乃至３１３−３は、携帯端末３２と同様に構成され、ネットワーク３１２に接続される装置（例えば、通信装置３１１−１および３１１−２や、他の携帯端末３１３）から供給されるコンテンツのデータ（静止画像データや動画像データ）などを受信し、受信した画像データに対応する画像を表示させる。
【０１８７】
なお、携帯端末３１３−１乃至３１３−３は、携帯端末３２のネットワーク３１２へ接続が許可された場合には、ネットワーク３１２を介して、携帯端末３２からのデータを受信することもできる。
【０１８８】
以上のように、図１５のサービス提供システム３０１においても、図４のサービス提供システム２１と同様に、ユーザが所持した携帯端末が、所定の空間領域（すなわち、通信可能領域４１AB）に一定時間存在することが、ネットワーク３１２に接続し、ネットワーク３１２に接続される装置や端末と情報交換ができるというサービスの提供を受ける条件として設定されている。
【０１８９】
なお、図１５に示されるネットワーク３１２に接続される通信装置３１１−１および３１１−２も、図４のネットワーク３３に接続される通信装置３１−１乃至３１−３と同様に、ネットワーク１つのサービス提供装置ともみなされる。
【０１９０】
以下、通信装置３１１−１および３１１−２、並びに携帯端末３１３−１乃至３１３−３を個々に区別する必要がない場合、単に、通信装置３１１、並びに携帯端末３１３と称する。
【０１９１】
なお、通信装置３１１は、図４の通信装置３１と同様の構成をしているので、以下、図５の構成は、通信装置３１１の構成としても用いられる。
【０１９２】
また、携帯端末３１３は、図３の通信端末３２と同様の構成をしているので、以下、図６の構成は、携帯端末３１３の構成としても用いられる。さらに、携帯端末３１３においては、ＣＰＵ１０１が所定のプログラムを実行することで、図１２に示される機能ブロックが実現される。したがって、以下、図１２の機能構成例は、携帯端末３１３の機能構成例としても用いられる。
【０１９３】
図１６は、図１５のサービス提供システム２１における携帯端末３２の機能構成例を示すブロック図である。図１６に示される機能ブロックは、ＣＰＵ１０１により所定のプログラムが実行されることで実現され、図７の例の場合と、コンテンツ送信部３２１が追加された点が異なるだけであり、その他は、基本的に図７の例の場合と同様である。
【０１９４】
認証処理制御部１３１は、無線通信部１０８を介して、通信装置３１１に対して、認証情報を要求したり、データ処理部１３２や認証データ送信部１３３を制御する他に、さらに、通信装置３１１から認証が通知されると、コンテンツ送信部３２１を制御し、携帯端末３２において視聴（表示）中のコンテンツのデータを、無線通信部１０８を介して送信させる。
【０１９５】
コンテンツ送信部３２１は、認証処理制御部１３１の制御のもと、携帯端末３２において視聴中のコンテンツのデータを、無線通信部１０８および通信アンテナ４２を介して、通信装置３１１に送信する。
【０１９６】
次に、図１７および図１８を参照して、図１５のサービス提供システム３０１により提供されるサービスについて説明する。なお、図１７および図１８においては、指向性アンテナ４１のみが示されており、通信装置３１１は省略されている。
【０１９７】
図１７の例においては、ある部屋（空間）に設置されている指向性アンテナ４１−１および４１−２（通信装置３１１−１および３１１−２）、図示せぬ各ユーザは、携帯端末３１３−１乃至３１３−３を所持し、部屋の中央に配置されるテーブルを囲むソファに座っている。
【０１９８】
これらの携帯端末３１３−１乃至３１３−３は、通信装置３１１−１および３１１−２とともに、図１５のネットワーク３１２に接続されており、携帯端末３１３−１乃至３１３−３においては、例えば、通信装置３１３−１の記憶部５７に記憶されているコンテンツの画像データが、ネットワーク３１２を介して受信され、対応する「友人」の画像がそれぞれのＬＣＤ１１２に表示されている。
【０１９９】
また、ユーザが携帯する携帯端末３２には、例えば、記憶部１０６に記憶されているコンテンツの画像データに対応する「風景」の画像が表示されている。
【０２００】
ユーザは、部屋の中央に設置されるテーブルの中央の領域に、携帯端末３２を配置し、携帯端末３２を所定の時間、その位置に滞在させる。すなわち、このテーブルの中央の領域は、通信装置３１１−１が有する指向性アンテナ４１−１の通信可能領域４１Aと、通信装置３１１−２が有する指向性アンテナ４１−２の通信可能領域４１Bとが重なる領域（通信可能領域４１AB）である。
【０２０１】
まず、図８および図９を参照して上述したように、携帯端末３２により認証情報が要求され、通信装置３１１−１により携帯端末３２に対して暗号化された認証データが送信され、通信装置３１１−２により携帯端末３２に暗号鍵データが送信される。
【０２０２】
一方、暗号化された認証データを送信した通信装置３１１−１は、指向性アンテナ４１−１を介して、認証情報を要求してくるので、携帯端末３２は、暗号鍵データで暗号化された認証データを復号し、認証情報を取得し、取得した認証情報を、無線通信部１０８および通信アンテナ４２を介して送信する。
【０２０３】
通信装置３１１−１は、携帯端末３２からの認証情報に基づいて、携帯端末３２を認証し、サービスを提供する。すなわち、図１７の例の場合、通信装置３１１−１は、携帯端末３２、並びにネットワーク３１２に接続されている装置に認証を通知することで、携帯端末３２のネットワーク３１２への接続を許可する。これにより、携帯端末３２は、ネットワーク３１２に接続されている装置と、ネットワーク３１２を介して、通信することができる。
【０２０４】
より具体的には、図１７の例においては、携帯端末３２は、通信装置３１１−１からの認証の通知に応じて、表示中のコンテンツの画像データ（以下、単に画像データとも称する）を、無線通信部１０８および通信アンテナ４２を介して送信する。通信装置３１１−２は、携帯端末３２からの画像データを、指向性アンテナ４１および無線通信部５８を介して受信し、受信した画像データを、通信部５６を介して、ネットワーク３１２に接続されている携帯端末３１３−１乃至３１３−３に送信する。
【０２０５】
携帯端末３１３−１乃至３１３−３は、通信アンテナ４２および無線通信部１０８を介して、通信装置３１１−２からの画像データを受信すると、受信した画像データに対応する画像をＬＣＤ１１２に表示させる。
【０２０６】
これにより、図１８に示されるように、携帯端末３１３−１乃至３１３−３のＬＣＤ１１２には、携帯端末３２のＬＣＤ１１２に表示されている画像と同じ「風景」の画像が表示される。
【０２０７】
なお、携帯端末３２は、通信装置３１１−２を介して、携帯端末３１３−１乃至３１３−３に画像データを送信するように説明したが、通信装置３１１−１を介してであってもよく、さらに、携帯端末３２には、ネットワーク３１２への接続が許可されている。したがって、携帯端末３２から、直接、ネットワーク３１２を介して、携帯端末３１３−１乃至３１３−３に送信するようにしてもよい。
【０２０８】
次に、図１９のフローチャートを参照して、図１５のサービス提供システム３０１の処理を説明する。
【０２０９】
図１７を参照して上述したように、ある部屋（空間）に設置されている通信装置３１１−１および３１１−２、並びに、部屋に滞在するユーザに保持されている携帯端末３１３−１乃至３１３−３は、図１５のネットワーク３１２に接続されており、携帯端末３１３−１乃至３１３−３においては、例えば、通信装置３１３−１の記憶部５７に記憶されているコンテンツの画像データが、ネットワーク３１２を介して受信され、対応する「友人」の画像がＬＣＤ１１２に表示されている。
【０２１０】
また、ユーザが携帯する携帯端末３２には、例えば、記憶部１０６に記憶されているコンテンツの画像データに対応する「風景」の画像が表示されている。
【０２１１】
ユーザは、通信装置３１１−１および３１１−２が設置されている部屋のテーブルの中央の通信可能領域４１ABに、携帯端末３２を配置し、携帯端末３２を所定の時間、通信可能領域４１ABに滞在させる。
【０２１２】
まず、携帯端末３２、並びに通信装置３１１−１および３１１−２により、図９を参照して上述したステップＳ１１乃至Ｓ１３、ステップＳ２１およびＳ２２、並びに、ステップＳ３１およびＳ３２の処理が実行される。
【０２１３】
すなわち、通信可能領域４１ABに存在する携帯端末３２の無線通信部１０８は、通信アンテナ４２を介して、通信装置３１１−１および３１１−２からの呼びかけ電波を受信すると、認証処理制御部１３１は、無線通信部１０８を制御し、通信アンテナ４２を介して、通信装置３１１−１および３１１−２に対してそれぞれ認証情報を要求させる。
【０２１４】
通信装置３１１−１の無線通信部５８は、指向性アンテナ４１−１を介して、携帯端末３２からの認証情報の要求を受信すると、ＣＰＵ５１は、携帯端末３２からの要求に対して、通信装置３１１−２と共有の暗号鍵データを用いて、認証情報を暗号化し、暗号化された認証データを、無線通信部５８および指向性アンテナ４１−１を介して、通信可能領域４１A（通信可能領域４１ABも含む）に存在する携帯端末３２に送信させる。
【０２１５】
一方、通信装置３１１−２の無線通信部５８も、指向性アンテナ４１−２を介して、携帯端末３２からの認証情報の要求を受信すると、ＣＰＵ５１は、携帯端末３２からの要求に対して、通信装置３１１−１と共有の暗号鍵データを、無線通信部５８および指向性アンテナ４１−２を介して、通信可能領域４１B（通信可能領域４１ABも含む）に存在する携帯端末３２に送信させる。
【０２１６】
携帯端末３２の無線通信部１０８は、通信アンテナ４２を介して、通信装置３１１−１からの暗号化された認証データを受信し、通信装置３１１−２からの暗号鍵データを受信すると、認証処理制御部１３１は、データ処理部１３２を制御し、暗号鍵データを用いて、認証データを復号させ、認証情報を取得させる。データ処理部１３２は、取得した認証情報を、認証データ送信部１３３に供給する。
【０２１７】
以上のようにして、携帯端末３２の認証データ送信部１３３には、認証情報が供給される。
【０２１８】
なお、通信装置３１１−１の無線通信部５８は、暗号化された認証データを、指向性アンテナ４１−１を介して送信した後、指向性アンテナ４１からの通信可能領域４１A（通信可能領域４１ABも含む）に向けて、認証情報を要求する呼びかけ電波を送出している。
【０２１９】
通信可能領域４１ABに存在する携帯端末３２の無線通信部１０８は、通信アンテナ４２を介して、通信装置３１１−１からの呼びかけ電波を受信すると、認証処理制御部１３１に通知する。
【０２２０】
認証処理制御部１３１は、図１９のステップＳ２１１において、認証データ送信部１３３を制御し、無線通信部１０８および通信アンテナ４２を介して、認証情報を送信させる。
【０２２１】
通信装置３１１−１の無線通信部５８は、指向性アンテナ４１−１を介して、携帯端末３２からの認証情報を受信し、ＣＰＵ５１に供給する。ＣＰＵ５１は、ステップＳ２２１において、認証処理を実行する。
【０２２２】
すなわち、通信装置３１１−１のＣＰＵ５１は、認証情報が、現在の正しい認証情報であるか否かを判定し、正しい認証情報であると判定すると、ステップＳ２２２に進み、無線通信部５８および指向性アンテナ４１−１を介して、認証を通知するとともに、通信部５６およびネットワーク３１２を介して、通信装置３１１−２にも、携帯端末３２の認証を通知する。
【０２２３】
なお、このとき、通信装置３１１−１のＣＰＵ５１は、通信部５６およびネットワーク３１２を介して、各携帯端末３１３にも、携帯端末３２の認証を通知するようにしてもよい。
【０２２４】
携帯端末３２の無線通信部１０８は、通信アンテナ４２を介して、認証の通知を受信し、認証処理制御部１３１に、認証を通知する。認証処理制御部１３１は、ステップＳ２１２において、コンテンツ送信部３２１を制御し、現在視聴中のコンテンツの画像データを、無線通信部１０８および通信アンテナ４２を介して送信させる。
【０２２５】
一方、通信装置３１１−２の通信部５６は、ネットワーク３１２を介して、通信装置３１１−１からの携帯端末３２の認証の通知を受信し、ＣＰＵ５１に供給しており、ＣＰＵ５１は、携帯端末３２の認証を認識している。
【０２２６】
通信装置３１１−２の無線通信部５８は、指向性アンテナ４１−２を介して、携帯端末３２からの画像データを受信すると、ＣＰＵ５１は、ステップＳ２３１において、通信部５６を制御し、無線通信部５８により受信された画像データを、ネットワーク３１２を介して、携帯端末３１３に送信する。
【０２２７】
携帯端末３１３の無線通信部１０８は、ステップＳ２４１において、ネットワーク３１２および通信アンテナ４２を介して、通信装置３１１−２からの画像データを受信し、受信した画像データを、携帯端末３１３のデータ取得制御部２３１（図１２）に供給する。
【０２２８】
データ取得制御部２３１は、データ生成部２３２を制御し、画像データに対応する表示信号を生成させる。データ生成部２３２は、生成した表示信号を、データ出力制御部２３３に出力する。データ出力制御部２３３は、ステップＳ２４２において、画像信号処理部１１０を制御し、データ生成部２３２からの表示信号に対応する画像を、ＬＣＤ１１２に表示させる。
【０２２９】
これにより、図１８に示されるように、携帯端末３１３−１乃至３１３−３のＬＣＤ１１２には、携帯端末３２のＬＣＤ１１２に表示されている画像と同じ画像が表示される。
【０２３０】
以上のように、ユーザは、指向性アンテナ４１−１および指向性アンテナ４１−２の通信可能領域４１ABに、所定の時間携帯端末３２を配置させるだけで、携帯端末３２を、ネットワーク３１２に接続させることができる。
【０２３１】
これにより、携帯端末３２のコンテンツのデータを、ネットワーク３１２に接続されている他の携帯端末３２にも送信させることができ、そのコンテンツを、他の携帯端末３２にも表示させることができる。
【０２３２】
なお、図１９のステップＳ２３１における通信装置３１１−２を介しての画像データの送信は、通信装置３１１−１と通信装置３１１−２の２台で行うようにしてもよい。この場合、上述したステップＳ２２２の認証通知後のコンテンツの送信処理は、通信可能領域４１ABに滞在している携帯端末３２のみに限定したサービスとなり、特定領域に対して限定したサービスが提供されることになる。
【０２３３】
図２０は、本発明を適用したサービス提供システム３５１の構成例を示している。なお、サービス提供システム３５１は、図１５のサービス提供システム３０１の他の例であり、図４の場合と対応する部分には、対応する符号が付してある。
【０２３４】
すなわち、図２０のネットワーク３１２は、例えば、有線のＬＡＮで構成される。このネットワーク３１２には、サービス提供システム３５１を管理するサーバ３６３が接続され、図１５の携帯端末３１３−１乃至３１３−３の代わりに、大型スピーカ３７１−１および３７１−２を有する装置３６４−１、および大画面ディスプレイ３７２を有する装置３６４−２も接続されている。
【０２３５】
このサービス提供システム３５１においても、通信装置３１１−１および３１１−２により認証された結果、認証済みの携帯端末３２をネットワーク３１２に接続させ、携帯端末３２が視聴中の、携帯端末３２（あるいはサーバ３６３）が有するコンテンツのデータなどを、ネットワーク３１２を介して、装置３６４−１および３６４−２に送信させ、装置３６４−１および３６４−２から出力させるなどのサービスが提供される。
【０２３６】
サーバ３６３は、通信装置３１１−１および３１１−２間のデータ（認証情報や暗号鍵データなど）の管理や、ネットワーク３１２の接続リストを有し、ネットワーク３１２の接続状態などの管理などを行う。また、サーバ３６３は、コンテンツのデータを記憶しており、ネットワーク３１２を介して、あるいは、直接、アクセスしてきた端末や装置に対して、コンテンツのデータを提供する。
【０２３７】
なお、図２０に示されるネットワーク３１２に接続される通信装置３１１−１および３１１−２、サーバ３６３も、図４のネットワーク３３に接続される通信装置３１−１乃至３１−３と同様に、１つのサービス提供装置ともみなされる。
【０２３８】
装置３６４−１は、大型スピーカ３７１−１および３７１−２を有し、ネットワーク３１２に接続される装置（例えば、通信装置３１１−１および３１１−２やサーバ３６３）から供給されるコンテンツの音声データなどを受信し、受信した音声データに対応する音声を、大型スピーカ３７１−１および３７１−２から出力させる。
【０２３９】
装置３６４−２は、大画面ディスプレイ３７２を有し、ネットワーク３１２に接続される装置（例えば、通信装置３１１−１および３１１−２やサーバ３６３）から供給されるコンテンツの画像（静止画像または動画像）データなどを受信し、受信した画像データに対応する画像を、大画面ディスプレイ３７２に表示させる。
【０２４０】
なお、装置３６４−１および装置３６４−２は、携帯端末３２のネットワーク３１２へ接続が許可された場合には、ネットワーク３１２を介して、携帯端末３２からのデータを受信することもできる。
【０２４１】
以上のように、図２０のサービス提供システム３５１においても、図１５のサービス提供システム３０１と同様に、ユーザが携帯した携帯端末が、所定の空間領域（すなわち、通信可能領域４１AB）に一定時間存在することが、ネットワーク３１２に接続し、ネットワーク３１２に接続される装置や端末と情報交換ができるというサービスの提供を受ける条件として設定されている。
【０２４２】
なお、以下、装置３６４−１および装置３６４−２を個々に区別する必要がない場合、単に、装置３６４と称する。
【０２４３】
図２１は、サーバ３６３の構成例を示すブロック図である。
【０２４４】
ＣＰＵ４１１は、ＲＯＭ４１２に記憶されているプログラム、または記憶部４１８からＲＡＭ４１３にロードされたプログラムに従って各種の処理を実行する。ＲＡＭ４１３にはまた、ＣＰＵ４１１が各種の処理を実行する上において必要なデータなども適宜記憶される。
【０２４５】
ＣＰＵ４１１、ＲＯＭ４１２、およびＲＡＭ４１３は、バス４１４を介して相互に接続されている。このバス４１４にはまた、入出力インタフェース４１５も接続されている。
【０２４６】
入出力インタフェース４１５には、キーボード、マウスなどよりなる入力部４１６、ＣＲＴ、ＬＣＤなどよりなるディスプレイ、並びにスピーカなどよりなる出力部４１７、ハードディスクなどより構成される記憶部４１８、モデム、ターミナルアダプタ、またはネットワークインタフェースなどより構成される通信部４１９が接続されている。通信部４１９は、ネットワーク３１２などを介しての通信処理を行う。
【０２４７】
入出力インタフェース４１５にはまた、必要に応じてドライブ４２０が接続され、磁気ディスク４２１、光ディスク４２２、光磁気ディスク４２３、あるいは半導体メモリ４２４などのリムーバブルメディアが適宜装着され、それらから読み出されたコンピュータプログラムが、必要に応じて記憶部４１８にインストールされる。
【０２４８】
なお、図示は省略するが、装置３６４−１および３６４−２も、図２１に示したサーバ３６３と基本的に同様の構成を有するコンピュータにより構成される。そこで、以下の説明においては、図２１の構成は、装置３６４−１および３６４−２の構成としても引用される。
【０２４９】
ここで、ＣＰＵ４１１が、各種のプログラムを実行することにより、図２１のコンピュータは、サーバ３６３や装置３６４−１および３６４−２として機能することとなる。
【０２５０】
例えば、装置３６４−１および３６４−２において、ＣＰＵ４１１により所定のプログラムが実行されることで、図１２の例と同様の機能ブロックが実現される。したがって、以下、図１２の機能構成例は、装置３６４−１および３６４−２の機能構成例としても用いられる。
【０２５１】
次に、図２２および図２３を参照して、図２０のサービス提供システム３５１により提供されるサービスについて説明する。なお、図２２および図２３においては、指向性アンテナ４１、大型スピーカ３７１−１および３７１−２、並びに大画面ディスプレイ３７２のみが示されており、対応する通信装置３１１、装置３６４−１および３６４−２などの図示は省略されている。
【０２５２】
図２２の例においては、ある部屋（空間）に設置されている指向性アンテナ４１−１および４１−２（通信装置３１１−１および３１１−２）、図示せぬサーバ３６２、大型スピーカ３７１−１および３７１−２（装置３６４−１）、並びに、大画面ディスプレイ３７２（装置３６４−２）は、図２０のネットワーク３１２に接続されており、大型スピーカ３７１−１および３７１−２や、大画面ディスプレイ３７２からは何も出力されていない。
【０２５３】
例えば、ユーザは、携帯する携帯端末３２を操作して、サーバ３６２と１対１（アドホックモード）で通信を行い、サーバ３６３の記憶部４１８に記憶されているコンテンツを視聴している。すなわち、携帯端末３２は、無線通信部１０８を制御し、通信アンテナ４２を介して、サーバ３６２から所望のコンテンツの画像（動画像）データおよび音声データを受信し、受信した画像データに対応する画像をＬＣＤ１１２に表示させ、受信した音声データに対応する音声をスピーカ１１３から出力させている。
【０２５４】
これにより、図２２の携帯端末３２のＬＣＤ１１２には、サーバ３６２からのコンテンツの画像データに対応する「風景」の画像が表示されており、スピーカ１１３からは、サーバ３６２からのコンテンツの音声データに対応する音声４５１が出力されている。
【０２５５】
ユーザは、通信装置３１１−１および３１１−２が設置されている部屋のテーブルの中央に位置する通信可能領域４１ABに、携帯端末３２を配置し、携帯端末３２を所定の時間、その通信可能領域４１ABに滞在させる。
【０２５６】
まず、図１７の例と同様に、通信可能領域４１ABに存在する携帯端末３２に対して、通信装置３１１−１および３１１−２から認証情報の元となるデータが送信され、携帯端末３２は、認証情報を取得し、通信装置３１１−１からの要求に応じて、通信アンテナ４２を介して認証情報を送信する。
【０２５７】
通信装置３１１−１は、携帯端末３２からの認証情報に基づいて、携帯端末３２を認証し、サービスを提供する。すなわち、図２２の例の場合、通信装置３１１−１は、携帯端末３２並びにネットワーク３１２に接続されている装置に認証を通知することで、携帯端末３２のネットワーク３１２への接続を許可する。これにより、携帯端末３２は、ネットワーク３１２に接続されている装置と、ネットワーク３１２を介して、通信することができる。
【０２５８】
より具体的には、図２２の例においては、携帯端末３２は、通信装置３１１−１からの認証の通知に応じて、視聴中のコンテンツの音声を、装置３６４−１が有する大型スピーカ３７１−１および３７１−２から出力させ、視聴中のコンテンツの画像を、装置３６４−２が有する大画面ディスプレイ３７２に表示させる。
【０２５９】
すなわち、携帯端末３２は、視聴中のコンテンツ情報を、無線通信部１０８および通信アンテナ４２を介して送信する。このコンテンツ情報は、携帯端末３２の識別情報、コンテンツ名、コンテンツの視聴中の位置などが含まれる。通信装置３１１−２は、携帯端末３２からのコンテンツ情報を、指向性アンテナ４１および無線通信部５８を介して受信し、受信したコンテンツ情報を、通信部５６を介して、ネットワーク３１２に接続されているサーバ３６３に送信する。
【０２６０】
サーバ３６３は、携帯端末３２からのコンテンツ情報を受信すると、コンテンツ情報に基づいて、いままで、携帯端末３２に直接送信していたコンテンツのデータ送信をやめ、コンテンツ情報に含まれる視聴中の位置から、コンテンツの音声データを、ネットワーク３１２を介して、装置３６４−１に送信し、コンテンツの画像データを、ネットワーク３１２を介して、装置３６４−２に送信する。
【０２６１】
装置３６４−１は、ネットワーク３１２および通信部４１９を介して、コンテンツの音声データを受信すると、受信した音声データに対応する音声を大型スピーカ３７１−１および３７１−２から出力させる。装置３６４−２は、ネットワーク３１２および通信部４１９を介して、コンテンツの画像データを受信すると、受信した画像データに対応する画像を大画面ディスプレイ３７２に表示させる。
【０２６２】
これにより、図２３に示されるように、大型スピーカ３７１−１および３７１−２からは、図２２において携帯端末３２のスピーカ１１３から出力されていた音声の続きの音声４６１が出力され、大画面ディスプレイ３７２には、図２２において携帯端末３２のＬＣＤ１１２から出力されていた画像の続きの「風景」の画像が表示される。
【０２６３】
なお、図２３の場合、同じコンテンツの画像を表すため、同じ画像が示されている。
【０２６４】
また、携帯端末３２は、ネットワーク３１２への接続が許可されている。したがって、携帯端末３２から、直接、ネットワーク３１２を介して、サーバ３６３に指示を送信するようにしてもよい。
【０２６５】
次に、図２４のフローチャートを参照して、図２０のサービス提供システム３５１の処理を説明する。
【０２６６】
図２２を参照して上述したように、ある部屋（空間）において、ネットワーク３１２に接続されている大型スピーカ３７１−１および３７１−２や、大画面ディスプレイ３７２からは何も出力されていない。
【０２６７】
また、携帯端末３２のＬＣＤ１１２には、サーバ３６２からのコンテンツの画像データに対応する「風景」の画像が表示されており、スピーカ１１３からは、サーバ３６２からのコンテンツの音声データに対応する音声４５１が出力されている。
【０２６８】
ユーザは、通信装置３１１−１および３１１−２が設置されている部屋のテーブルの中央の通信可能領域４１ABに、携帯端末３２を配置し、携帯端末３２を所定の時間、通信可能領域４１ABに滞在させる。
【０２６９】
まず、携帯端末３２、並びに通信装置３１１−１および３１１−２により、図９を参照して上述したステップＳ１１乃至Ｓ１３、ステップＳ２１およびＳ２２、並びに、ステップＳ３１およびＳ３２の処理が実行される。
【０２７０】
その結果、携帯端末３２においては、通信装置３１１−１からの暗号化された認証データが受信され、通信装置３１１−２からの暗号鍵データが受信され、これらのデータが用いられて、認証情報が取得されることで、携帯端末３２の認証データ送信部１３３には、認証情報が供給されている。なお、この処理は、図９または図１９を参照して上述した処理と同様であり、繰り返しになるのでその説明は省略する。
【０２７１】
通信装置３１１−１の無線通信部５８は、暗号化された認証データを、指向性アンテナ４１−１を介して送信した後、指向性アンテナ４１−１からの通信可能領域４１A（通信可能領域４１ABも含む）に向けて、認証情報を要求する呼びかけ電波を送出している。
【０２７２】
通信可能領域４１ABに存在する携帯端末３２の無線通信部１０８は、通信アンテナ４２を介して、通信装置３１１−１からの呼びかけ電波を受信すると、認証処理制御部１３１に通知する。
【０２７３】
認証処理制御部１３１は、図２４のステップＳ３１１において、認証データ送信部１３３を制御し、無線通信部１０８および通信アンテナ４２を介して、認証情報を送信させる。
【０２７４】
通信装置３１１−１の無線通信部５８は、指向性アンテナ４１−１を介して、携帯端末３２からの認証情報を受信し、ＣＰＵ５１に供給する。ＣＰＵ５１は、ステップＳ３２１において、認証処理を実行する。
【０２７５】
すなわち、通信装置３１１−１のＣＰＵ５１は、認証情報が、現在の正しい認証情報であるか否かを判定し、正しい認証情報であると判定すると、ステップＳ３２２に進み、無線通信部５８および指向性アンテナ４１−１を介して、認証を通知するとともに、通信部５６およびネットワーク３１２を介して、通信装置３１１−２およびサーバ３６３にも、携帯端末３２の認証を通知する。
【０２７６】
これに対応して、サーバ３６３の通信部４１９は、ネットワーク３１２を介して、通信装置３１１−１からの携帯端末３２の認証の通知を受信し、ＣＰＵ４１１に供給し、ＣＰＵ４１１は、ネットワーク３１２の接続リストに追加している。
【０２７７】
なお、このとき、通信装置３１１−１のＣＰＵ５１は、通信部５６およびネットワーク３１２を介して、各装置３６４にも、携帯端末３２の認証を通知するようにしてもよい。
【０２７８】
携帯端末３２の無線通信部１０８は、通信アンテナ４２を介して、認証の通知を受信し、認証処理制御部１３１に、認証を通知する。認証処理制御部１３１は、ステップＳ３１２において、コンテンツ送信部３２１を制御し、現在、視聴中のコンテンツ情報を、無線通信部１０８および通信アンテナ４２を介して送信させる。
【０２７９】
通信装置３１１−１の無線通信部５８は、指向性アンテナ４１−１を介して、携帯端末３２からのコンテンツ情報を受信すると、ＣＰＵ５１は、ステップＳ２３３において、通信部５６を制御し、無線通信部５８により受信されたコンテンツ情報を、ネットワーク３１２を介して、サーバ３６３に送信する。
【０２８０】
サーバ３６３の通信部４１９は、ネットワーク３１２を介して、通信装置３１１−１からのコンテンツ情報を受信すると、受信したコンテンツ情報をＣＰＵ４１１に供給する。ＣＰＵ４１１は、ステップＳ３３１において、コンテンツ情報（携帯端末３２の識別情報、コンテンツ名、コンテンツの視聴中の位置など）に基づいて、通信部４１９を制御し、携帯端末３２へのコンテンツのデータ送信を停止させ、視聴中の位置からのコンテンツのデータを、ネットワーク３１２を介して、装置３６４に送信させる。
【０２８１】
装置３６４の通信部４１９は、ステップＳ３４１において、ネットワーク３１２を介して、サーバ３６３からのコンテンツのデータを受信すると、受信したデータを、装置３６４のデータ取得制御部２３１（図１２）に供給し、ステップＳ３４２に進む。
【０２８２】
例えば、装置３６４−１のデータ取得制御部２３１は、データ生成部２３２を制御し、コンテンツの音声データに対応する音声信号を生成させる。データ生成部２３２は、生成した音声信号を、データ出力制御部２３３に出力する。データ出力制御部２３３は、ステップＳ３４２において、データ生成部２３２からの音声信号に対応する音声を、出力部４１７を構成する大型スピーカ３７１−１および３７１−２に出力させる。
【０２８３】
また、装置３６４−２のデータ取得制御部２３１は、データ生成部２３２を制御し、コンテンツの画像データに対応する表示信号を生成させる。データ生成部２３２は、生成した表示信号を、データ出力制御部２３３に出力する。データ出力制御部２３３は、ステップＳ３４２において、データ生成部２３２からの表示信号に対応する画像を、出力部４１７を構成する大画面ディスプレイ３７２に表示させる。
【０２８４】
以上により、図２３に示されるように、大型スピーカ３７１−１および３７１−２からは、図２２において携帯端末３２のスピーカ１１３から出力されていた音声の続きの音声４６１が出力され、大画面ディスプレイ３７２には、図２２において携帯端末３２のＬＣＤ１１２から出力されていた画像の続きの「風景」の画像が表示される。
【０２８５】
以上のように、ユーザは、指向性アンテナ４１−１および指向性アンテナ４１−２の通信可能領域４１ABに、携帯端末３２を配置させるだけで、携帯端末３２を、ネットワーク３１２に接続させることができる。
【０２８６】
これにより、携帯端末３２が、サーバ３６３から視聴中のコンテンツのデータを、ネットワーク３１２に接続されている他の装置に送信して、他の装置が有する大型スピーカ３７１−１および３７１−２や、大画面ディスプレイ３７２から出力させることができる。
【０２８７】
すなわち、ユーザは、複数の指向性アンテナの通信可能領域に、携帯端末を配置させるだけで、小さな携帯端末のＬＣＤやスピーカで視聴していたコンテンツを、ネットワークに接続されている他の装置の大型スピーカや大画面ディスプレイで視聴することができる。
【０２８８】
以上のように、所定の空間内に、複数の指向性アンテナの通信可能領域を形成し、形成された通信可能領域を利用することにより、所定の空間内のユーザに、それぞれが存在する領域の性質に応じて、異なるレベルのサービスを行うことができる。
【０２８９】
なお、上記説明においては、動画像、静止画像や音楽コンテンツを用いて説明したが、本発明は、動画像、静止画像や音楽に限らず、アプリケーションなどのコンテンツにも適用することができる。
【０２９０】
また、上記説明においては、ネットワークに接続される装置として、携帯端末または大型スピーカや大画面ディスプレイを有する装置の例を説明したが、パーソナルコンピュータで構成することができることはもちろん、例えば、携帯電話機、その他のＰＤＡ(Personal Digital Assistant)機器や、ＡＶ(Audio Visual)機器などの再生装置、記録再生装置や家電（家庭用電化製品）などのＣＥ（Consumer Electronics）機器などで構成することもできる。
【０２９１】
さらに、上記説明においては、指向性アンテナを用いる無線通信の方式として、IEEE802.11bを用いて説明したが、IEEE802.11b方式のみに限定されず、本発明は、IEEE802.11a方式、Bluetooth（登録商標）、あるいは、その他の方式にも適用される。さらに、本発明は、指向性アンテナを用いずとも指向性を有する無線通信方式にも適用される。
【０２９２】
上述した一連の処理は、ハードウェアにより実行させることもできるが、ソフトウェアにより実行させることもできる。
【０２９３】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２９４】
この記録媒体は、図５または図２１に示されるように、装置本体とは別に、ユーザにプログラムを提供するために配布される、プログラムが記録されている磁気ディスク（フレキシブルディスクを含む）８１または４２１、光ディスク（CD-ROM(Compact Disk-Read Only Memory)，ＤＶＤ(Digital Versatile Disk)を含む）８２または４２２、光磁気ディスク（MD(Mini-Disk)（商標）を含む）８３または４２３、もしくは半導体メモリ８４または４２４などよりなるリムーバブルメディアのようなパッケージメディアにより構成されるだけでなく、装置本体に予め組み込まれた状態でユーザに提供される、プログラムが記録されているＲＯＭ５３または４１２や、記憶部５７または４１８に含まれるハードディスクなどで構成される。
【０２９５】
なお、プログラムは、上述したようなリムーバブル記録媒体から図５や図２１のコンピュータにインストールする他、ダウンロードサイトから、デジタル衛星放送用の人工衛星を介して、図５や図２１のコンピュータに無線で転送したり、ＬＡＮ(Local Area Network)、図示せぬネットワークを介して、図５や図２１のコンピュータに有線で転送してインストールすることもできる。
【０２９６】
なお、本明細書において、フローチャートに示されるステップは、記載された順序に従って時系列的に行われる処理はもちろん、必ずしも時系列的に処理されなくとも、並列的あるいは個別に実行される処理をも含むものである。
【０２９７】
なお、本明細書において、システムとは、複数の装置により構成される装置全体を表すものである。
【図面の簡単な説明】
【０２９８】
【図１】指向性の強い無線通信を説明する図である。
【図２】本発明において用いられる通信領域の概念を説明する図である。
【図３】本発明において用いられる通信領域の概念を説明する図である。
【図４】本発明を適用したサービス提供システムの構成例を示す図である。
【図５】図４の通信装置の構成例を示すブロック図である。
【図６】図４の携帯端末の構成例を示すブロック図である。
【図７】図６の携帯端末の機能構成例を示すブロック図である。
【図８】図４のサービス提供システムにより提供されるサービスを説明する図である。
【図９】図４のサービス提供システムの処理を説明するフローチャートである。
【図１０】図４のサービス提供システムの処理の他の例を説明するフローチャートである。
【図１１】本発明を適用したサービス提供システムの他の構成例を示す図である。
【図１２】図１１の携帯端末の機能構成例を示すブロック図である。
【図１３】図１１のサービス提供システムにより提供されるサービスを説明する図である。
【図１４】図１１のサービス提供システムの処理を説明するフローチャートである。
【図１５】図４のサービス提供システムの他の構成例を示す図である。
【図１６】図１５の携帯端末３２の機能構成例を示すブロック図である。
【図１７】図１５のサービス提供システムにより提供されるサービスを説明する図である。
【図１８】図１５のサービス提供システムにより提供されるサービスを説明する図である。
【図１９】図１５のサービス提供システムの処理を説明するフローチャートである。
【図２０】図１５のサービス提供システムの他の構成例を示す図である。
【図２１】図２０のサーバの構成例を示すブロック図である。
【図２２】図２０のサービス提供システムにより提供されるサービスを説明する図である。
【図２３】図２０のサービス提供システムにより提供されるサービスを説明する図である。
【図２４】図２０のサービス提供システムの処理を説明するフローチャートである。
【符号の説明】
【０２９９】
１１−１，１１−２  通信装置，１１A，１１B，１１AB  通信可能領域，１２−１乃至１２−３  通信装置，１２A，１２B，１２C，１２AB，１２BC，１２ABC  通信可能領域，２１  サービス提供システム，３１−１乃至３１−３  通信装置，３２  携帯端末，３３  ネットワーク，４１−１乃至４１−３  指向性アンテナ，４１A，４１B，４１C，４１AB，４１BC，４１ABC  通信可能領域，４２  通信アンテナ，２０１  サービス提供システム，２１１−１乃至２１１−３  通信装置，３０１  サービス提供システム，３１１−１乃至３１１−３  通信装置，３１２  ネットワーク，３１３−１乃至３１３−３  携帯端末，３５１  サービス提供システム，３６３  サーバ，３６４−１，３６４−２  装置
【図１】
2006345082.tif 000003
【図２】
2006345082.tif 000004
【図３】
2006345082.tif 000005
【図４】
2006345082.tif 000006
【図５】
2006345082.tif 000007
【図６】
2006345082.tif 000008
【図７】
2006345082.tif 000009
【図８】
2006345082.tif 000010
【図９】
2006345082.tif 000011
【図１０】
2006345082.tif 000012
【図１１】
2006345082.tif 000013
【図１２】
2006345082.tif 000014
【図１３】
2006345082.tif 000015
【図１４】
2006345082.tif 000016
【図１５】
2006345082.tif 000017
【図１６】
2006345082.tif 000018
【図１７】
2006345082.tif 000019
【図１８】
2006345082.tif 000020
【図１９】
2006345082.tif 000021
【図２０】
2006345082.tif 000022
【図２１】
2006345082.tif 000023
【図２２】
2006345082.tif 000024
【図２３】
2006345082.tif 000025
【図２４】
2006345082.tif 000026